(57)【特許請求の範囲】
【請求項１】
放射線画像記録媒体と、
放射線画像記録媒体を支持する基台と、
前記放射線画像記録媒体及び前記基台を収納する筐体と、
を備え、
前記筐体は、放射線が入射する天板部及び該天板部の縁部にその全周に亘って立設された側壁部を有し、これらの天板部及び側壁部が同一の材料によって一体に形成されたフロント部材と、前記フロント部材の底部開口に蓋をするバック部材と、を含み、
前記基台は、前記フロント部材の前記天板部に固定されている放射線撮影用カセッテ。
【請求項２】
請求項１に記載の放射線撮影用カセッテであって、
前記天板部及び前記基台は、略矩形状に形成されており、
前記基台は、少なくとも四隅の角部において前記天板部に固定されている放射線撮影用カセッテ。
【請求項３】
請求項１又は２に記載の放射線撮影用カセッテであって、
前記基台は、前記天板部に比べて剛性が高い放射線撮影用カセッテ。
【請求項４】
請求項１から３のいずれか一項に記載の放射線撮影用カセッテであって、
前記バック部材は、前記天板部に固定されている放射線撮影用カセッテ。
【請求項５】
請求項１から４のいずれか一項に記載の放射線撮影用カセッテであって、
前記フロント部材と前記基台との固定箇所の各々は、一対の締結部材によって締結されており、
前記一対の締結部材の一方は、前記フロント部材にインサート成形された樹脂材料からなる保持部材によって保持されている放射線撮影用カセッテ。
【請求項６】
請求項５に記載の放射線撮影用カセッテであって、
前記保持部材は、前記側壁部の全周に亘ってその縁部及び外面を覆う保護部を有している放射線撮影用カセッテ。
【請求項７】
請求項６に記載の放射線撮影用カセッテであって、
前記側壁部には、その内面から外面に達する少なくとも一つの貫通孔が設けられており、
前記保護部は、前記貫通孔の各々を通して、前記側壁部の内面に係合している放射線撮影用カセッテ。
【請求項８】
請求項１から７のいずれか一項に記載の放射線撮影用カセッテであって、
前記バック部材は、前記フロント部材の底部開口に没入している放射線撮影用カセッテ。
【請求項９】
請求項１から８のいずれか一項に記載の放射線撮影用カセッテであって、
前記フロント部材は、炭素繊維を含有する樹脂によって形成された放射線撮影用カセッテ。
【請求項１０】
請求項１から９のいずれか一項に記載の放射線撮影用カセッテであって、
前記基台は、炭素繊維を含有する樹脂によって形成された放射線撮影用カセッテ。
【発明の詳細な説明】
【技術分野】
【０００１】
本発明は、放射線撮影用カセッテに関する。
【背景技術】
【０００２】
Ｘ線を用いた撮影は、医療診断や非破壊検査等の分野において広く普及している。一般的なＸ線撮影においては、被写体にＸ線を照射し、被写体の各部において減衰を受けて該被写体を透過したＸ線を検出し、その強度分布に基づいて被写体のＸ線画像を得ている。
【０００３】
Ｘ線画像記録媒体としては、例えば、Ｘ線に露光されることにより蛍光を発する増感紙とこの蛍光に感光するフイルムとを組み合わせたものや、Ｘ線に露光されることによってＸ線の強度分布を潜像として蓄積し、後にレーザー光等の励起光を照射されることによって潜像に応じた蛍光を発する輝尽性蛍光体（蓄積性蛍光体）パネルが用いられている。
【０００４】
また、Ｘ線画像記録媒体として、近年では、Ｘ線を検出して電気信号に変換する半導体素子を用いてデジタル画像データを生成するフラットパネル検出器（ＦＰＤ：Flat Panel Detector）も用いられている。
【０００５】
そして、Ｘ線撮影には、上記のＸ線画像記録媒体が可搬型の筐体に収納されて構成された、いわゆるカセッが広く用いられている。
この種のカセッテは、その使用形態から荷重や衝撃に晒されることが多い。そして、精密電子機器である放射線変換パネル、電子部品及び回路基板が筐体内に収納されているので、外部から荷重を受けても、前記放射線変換パネル、前記電子部品及び前記回路基板に前記荷重の影響が及ばないような筐体の構造が求められている。また、外部からの荷重に対する剛性（耐衝撃性）の確保に加え、軽量化及び薄型化も求められている。
【０００６】
荷重や衝撃からＸ線画像記録媒体を保護すべく、例えば、筐体とＸ線画像記録媒体との隙間に緩衝材が設けられる。
また、Ｘ線画像記録媒体を収納する筐体は、例えば、略矩形板状の天板部材及び底板部材、並びにこれら接合するフレーム部材によって構成されるが、特許文献１及び２に記載されたカセッテにおいては、堅牢性を高める筐体構造が採用されている。
【０００７】
特許文献１に記載されたカセッテにおいて、筐体は、略矩形状の天板部及び天板部の四辺の縁部に立設されたフレーム部を有するフロント部材と、フロント部材の底部開口を塞ぐバック部材とで構成されている。そして、フロント部材を構成する天板部及びフレーム部が樹脂材料によって一体に形成されており、それによりフロント部材の強度が高められ、重量の増加を抑えながら変形を防止することが提案されている。
【０００８】
【特許文献１】特開２０１０−０３９２６７号公報
【特許文献２】特開２００９−３００７５７号公報
【発明の開示】
【発明が解決しようとする課題】
【０００９】
特許文献１に記載されたカセッテにおいて、フロント部材の天板部及びフレーム部をは一体に形成されている。かかる構成によれば、フロント部材の全体としての曲げ剛性及びねじり剛性は高まるが、被写体の荷重が負荷される天板部の撓みの抑制は十分ではなく、天板部の撓みによって、天板部に対向して配置されるＸ線画像記録媒体に荷重や衝撃が負荷される虞があった。
【００１０】
本発明は、上述した事情に鑑みなされたものであり、耐荷重性及び耐衝撃性に優れた放射線画像撮影用カセッテを提供することを目的とする。
【課題を解決するための手段】
【００１１】
放射線画像記録媒体と、
放射線画像記録媒体を支持する基台と、
前記放射線画像記録媒体及び前記基台を収納する筐体と、
を備え、
前記筐体は、放射線が入射する天板部及び該天板部の縁部にその全周に亘って立設された側壁部を有し、これらの天板部及び側壁部が同一の材料によって一体に形成されたフロント部材と、前記フロント部材の底部開口に蓋をするバック部材と、を含み、
前記基台は、前記フロント部材の前記天板部に固定されている放射線撮影用カセッテ。
【発明の効果】
【００１２】
本発明によれば、放射線画像撮影用カセッテのフロント部材は、天板部及び側壁部が同一の材料によって一体に形成され、さらに、放射線画像記録媒体を支持する基台がフロント部材に固定されている。それにより、フロント部材のねじり剛性及び曲げ剛性を向上すると共に、天板部の撓みも抑制され、筐体の耐荷重性及び耐衝撃性が高まる。よって、筐体に収納される放射線画像記録媒体を確実に保護することができる。
【図面の簡単な説明】
【００１３】
【図１】本発明の実施形態を説明するための、放射線撮影用カセッテの一例の構成を模式的に示す断面図である。
【図２】ＦＰＤの構成を示す図である。
【図３】放射線撮影用カセッテ１の構成を断面において示す図である。
【図４】図１の放射線撮影用カセッテ１を裏面から見た斜視図である。
【図５】図４のＸ−Ｘ’における断面図である。
【図６】天板部が荷重により撓む様子を模式的に示す図である。
【図７】図４のＹ−Ｙ’における断面図である。
【図８】放射線撮影用カセッテ１における保持部材の変形例を示す図である。
【図９】放射線撮影用カセッテ１における保持部材の変形例を示す図である。
【図１０】放射線撮影用カセッテ１における保持部材の変形例を示す図である。
【図１１】放射線撮影用カセッテ１における保持部材の変形例を示す図である。
【発明を実施するための形態】
【００１４】
以下、本発明の好適な実施形態について、図面を参照して説明する。
【００１５】
図１は、本発明の実施形態を説明するための、放射線撮影用カセッテの一例の構成を分解して示す。
【００１６】
Ｘ線撮影用カセッテ１は、Ｘ線画像記録媒体としてのＦＰＤ２、ＦＰＤ２を支持する基台３、ＦＰＤ２に動作電力を供給するバッテリーパック（図示せず）、ＦＰＤ２及び基台３を収納し、またバッテリーパックが装着される筐体４と、を備えている。
【００１７】
筐体４は、略矩形状の天板部１０及び天板部１０の四辺の縁部に立設された枠状の側壁部１１を有するフロント部材１２と、フロント部材１２の底部開口を塞ぐバック部材１３とで構成されている。フロント部材１２及びバック部材１３が互いに組み合わされることにより、遮光された箱型の閉空間が形成され、ＦＰＤ２及び基台３は、閉空間に収納されている。
【００１８】
被写体を透過したＸ線は、フロント部材１２の天板部１０を透過して、筐体内部に収納されたＦＰＤ２に入射する。天板部１０は、強度重量比などを考慮して、典型的にはアルミニウムやマグネシウムなどの軽金属材料が用いられるが、これらの軽金属材料よりもＸ線透過率に優れる炭素繊維強化樹脂（ＣＦＲＰ：carbon fiber reinforced plastics）などの樹脂材料が好適に用いられる。
【００１９】
そして、本例の放射線撮影用カセッテ１においては、フロント部材１２の側壁部１１は、天板部１０と同一の材料によって一体に形成されている。天板部１０及び側壁部１１が一体に形成されることによって、フロント部材１２の強度が向上し、特に天板部１０のねじれに対する耐性が向上する。
【００２０】
天板部１０及び側壁部１１を形成する材料として、上記のアルミニウムやマグネシウムを用いる場合には、例えばダイカスト成形により、また、炭素繊維強化樹脂を用いる場合には、例えば圧縮成形、射出成形又は射出プレス成形により、天板部１０及び側壁部１１を一体に形成することができる。
【００２１】
天板部１０及び側壁部１１が一体に形成されることにより、フロント部材１２は、図示の例のように、その四隅の角部に面取りが施し易くなる。また、天板部１０の面及び側壁部１１の面により構成される角部の面取りも施し易くなる。カセッテが、寝台とその上に横臥した被写体（患者）との間に差し込まれる際に、上記の面取りが施されていることにより、被写体との引っ掛かりが防止される。
【００２２】
なお、バック部材１３についても、強度重量比などを考慮して、例えば、アルミニウムやマグネシウムなどの軽金属材料や、ＣＦＲＰなどの樹脂材料を用いて形成することができ、フロント部材１２と同一の材料によって形成されることが好ましい。フロント部材１２及びバック部材１３が、同一の材料によって形成されることにより、膨張率を同程度にすることができ、放射線撮影用カセッテ１の反りを防止することができる。
【００２３】
図２は、ＦＰＤ２の構成を示す。
【００２４】
ＦＰＤ２は、Ｘ線を電荷に変換して蓄積する複数の画素２０が、アクティブマトリクス型の薄膜トランジスタ（ＴＦＴ：Thin Film Transistor）アレイ基板上に２次元状に配列されてなる受像部２１と、受像部２１からの電荷の読み出しタイミングを制御する走査回路２２と、各画素２０に蓄積された電荷を読み出し、読み出された電荷を画像データに変換して記憶する信号処理回路２３と、画像データを外部機器に送信するデータ送信回路２４とから構成されている。走査回路２２と各画素２０とは、行毎に走査線２５によって接続されており、信号処理回路２３と各画素２０とは、列毎に信号線２６によって接続されている。
【００２５】
各画素２０は、アモルファスセレン等の変換層（図示せず）でＸ線を電荷に直接変換し、変換された電荷を変換層の下部の電極に接続されたキャパシタに蓄積する直接変換型の素子として構成することができる。なお、各画素は、酸化ガドリニウム（Ｇｄ２Ｏ３）やヨウ化セシウム（ＣｓＩ）等からなるシンチレータ（図示せず）でＸ線を一旦可視光に変換し、変換された可視光をフォトダイオード（図示せず）で電荷に変換して蓄積する間接変換型のＸ線検出素子として構成することも可能である。
【００２６】
各画素２０には、ＴＦＴスイッチ素子（図示せず）が接続され、ＴＦＴスイッチのゲート電極が走査線２５に、ソース電極がキャパシタに、ドレイン電極が信号線２６にそれぞれ接続される。ＴＦＴスイッチが走査回路からの駆動パルスによってＯＮ状態になると、キャパシタに蓄積された電荷が信号線に読み出される。
【００２７】
信号処理回路２３は、積分アンプ回路、Ａ／Ｄ変換器、補正回路、及び画像メモリ（いずれも図示せず）により構成されている。積分アンプ回路は、各画素から信号線を介して出力された電荷を積分して電圧信号（画像信号）に変換して、Ａ／Ｄ変換器に入力する。Ａ／Ｄ変換器は、入力された画像信号をデジタルの画像データに変換して補正回路に入力する。補正回路は、画像データに対して、オフセット補正やゲイン補正などの補正処理を行い、補正後の画像データを画像メモリに記憶させる。
【００２８】
以上の各画素及び各回路には、前記バッテリーパックを含む電源部から動作電力が供給される。
【００２９】
図３は、放射線撮影用カセッテ１の構成を断面において示す。
【００３０】
ＦＰＤ２は、天板部１０に対向する基台３表面に受像部を、また、基台裏面に走査回路２２や信号処理回路２３などが実装された回路基板２８（図１参照）を、それぞれ取り付けられて基台３に支持されている。受像部２１と回路基板２８とは、フレキシブル回路基板を用いて接続されている。
【００３１】
基台３は、比較的剛性に優れる基材３０を含んで構成され、図示の例においては、さらに基台裏面に取り付けられる回路基板をＸ線から遮蔽するためのＸ線遮蔽材３１、及び緩衝材３２が、基台の上にこの順に積層されて構成されている。なお、基台３の構成は、上記の積層材の積層構造に限られるものではなく、基材３０のみによって構成されていてもよいし、あるいは回路基板に生じる熱を分散させる高熱伝導材等の他の積層材を含んで構成されていてもよい。
回路基板２１とフロント部材１２の間には緩衝材を設けることもできる。荷重による回路基板２１の破損を防ぐためである。
【００３２】
基材３０としては、強度重量比を考慮して、例えば、アルミニウムやマグネシウムなどの軽金属材料や、ＣＦＲＰなどの炭素繊維を含有する樹脂材料を用いることができ、炭素繊維を含有する樹脂によって形成されることが好ましい。
また、Ｘ線遮蔽材３１としては、例えば、鉛やタングステンやモリブデンなどのＸ線吸収能に優れる重金属材料を用いることができる。
緩衝材３２としては、例えば、シリコン系やウレタン系の発泡材などの衝撃吸収能に優れる樹脂材料が好ましい。
【００３３】
放射線撮影用カセッテ１において、基台３は、フロント部材１２に固定されている。以下、図４〜図６を参照して、基台３の固定構造を説明する。
【００３４】
図４は放射線撮影用カセッテ１を裏側から見た分解斜視図である。図５は図４のＸ−Ｘ’における断面図である。図６は天板部１０が荷重により撓む様子を示す模式図である。
【００３５】
図４において、フロント部材１２には、天板部１０との間に隙間をおいて基台３を固定する、複数の基台固定用の台座５が設けられている。これらの台座５は、側壁部１１に沿って適宜な間隔をおいて設けられている。各台座５は、天板部１０に固着された保持部材５２と、この保持部材５２に保持されたナット５３とで構成されている。
【００３６】
図５において、保持部材５２は、樹脂材料からなり、フロント部材１２にインサート成形され、天板部１０に固着されている。ナット５３は、保持部材５２の座面に埋め込まれて、保持部材５２に保持されている。なお、フロント部材１２に対するナット５３の固定は、上記の保持部材５２に限られず、例えば接着や溶着によって固定することもできる。
【００３７】
基台３は、各台座５のナット５３、及びこのナット５３と対をなすネジ５１を用いて、フロント部材１２の天板部１０に締結されている。
【００３８】
このように、基台３がフロント部材１２に固定されることにより、基台３とフロント部材１２とで閉じられた箱型形状が構成される。それにより、フロント部材１２の天板部１０の撓みを抑制することができる。特に、基台３がフロント部材１２の天板部１０に固定されていることにより、天板部１０の撓みを、より確実に抑制することができる。
【００３９】
図示の例において、基台３の固定箇所は、四隅の角部、及び各辺に沿った縁部の中央部に設けられている。天板部１０が撓む際に、その撓み量ｈは、典型的には、天板部１０の対角を結ぶ線上が最も大きくなり、よって、基台３の四隅の角部を天板部１０の四隅の角部に固定することによって、天板部１０の撓みを効果的に抑制することができる。また、天板部１０が撓む際に、側壁部１１の倒れを伴って各辺の縁部が内側に変位し、その変位量ｌは、典型的には縁部の中央部が最も大きくなるため、基台３の各辺の縁部の中央部を天板部１０の各辺の縁部の中央部に固定することにより、上記の変位を規制して天板部１０の撓みを効果的に抑制することができる。ただし、基台３の固定箇所は、図示の例に限られるものではない。
【００４０】
基台３は、天板部１０に比べて剛性が高いことが好ましい。基台３の剛性が天板部１０の剛性よりも高いことにより、天板部１０の撓みをより確実に抑制することができる。例えば、基台３を構成する基材３０及び天板部１０は、いずれも炭素繊維を含有する樹脂によって形成することができる。基材３０及び天板部１０がこのように同一の材料で形成される場合に、基材３０の厚みを天板部１０の厚みよりも厚くすることで、基材３０を含んで構成される基台３の剛性を、天板部１０に比べて高くすることができる。
【００４１】
一般に、カセッテは規格によって定められた外形サイズとされ、その制約下においてＦＰＤ２等を収容する筐体内部の容積をなるべく多く確保するため、フロント部材１２は比較的薄く形成される。そのようにして容積を確保された筐体内部に収納される基台３は、フロント部材１２に比較して、その厚みを大きく取り易い。
【００４２】
本Ｘ線撮影用カセッテ１においては、バック部材１３もまた、天板部１０に形成されている。以下、図４及び図７を参照して、バック部材１３の固定構造について説明する。
図７は図４のＹ−Ｙ’における断面図である。
【００４３】
フロント部材１２には、天板部１０との間に隙間をおいて基台３を固定する、複数のバック部材固定用の台座６が設けられている。これらのバック部材固定用台座６は、隣り合う基台固定用台座５の間に適宜設けられている。各台座６は、天板部１０に固着された保持部材６２と、この保持部材６２に保持されたナット６３とで構成されている。
保持部材６２は、樹脂材料からなり、フロント部材１２にインサート成形され、天板部１０に固着されている。ナット６３は、保持部材６２の座面に埋め込まれて、保持部材６２に保持されている。
【００４４】
バック部材固定用台座６の座面の天板部１０からの高さは、基台固定用台座５の座面の高さよりも高くなっており、基台３には、バック部材固定用台座６を通すための切り欠き部３３が設けられている。
【００４５】
バック部材１３は、各台座６のナット６３、及びこのナット６３と対をなすネジ６１を用いて、天板部１０に締結されている。
【００４６】
このように、バック部材１３がフロント部材１２の天板部１０に固定されることにより、天板部１０の撓みを、より確実に抑制することができる。
【００４７】
また、図７に示す例では、バック部材１３は、フロント部材１２の底部開口に没入している。これにより、バック部材１３の端面に対して平滑化処理などの端面処理を行う必要がなくなり、製造工程が簡素化される。
【００４８】
図８及び図９は、放射線撮影用カセッテ１における保持部材５２の変形例である。
【００４９】
基台３をフロント部材１２に固定するためのナット５３を保持する保持部材５２の各々は、上記の通りフロント部材１２にインサート成形されており、これらの保持部材５２と一体に、フロント部材１２の側壁部１１の全周に亘ってその縁部及び外面を覆う保護部５５を設けることもできる。保護部５５により、側壁部１１の耐摩耗性や難燃性を向上させることができ、放射線撮影用カセッテ１の強度を増すことができる。
【００５０】
保護部５５を形成する樹脂材料としては、熱可塑性樹脂が挙げられ、加工性、耐熱性、及び弾性に優れることから熱可塑性ポリエステルエラストマーやガラス繊維入り樹脂が好ましい。
【００５１】
図９に示す例においては、さらに、保護部５５が、天板部１０の面及び側壁部１１の面により構成される角部を経て天板部１０の一部を覆うように設けられている。これにより、放射線撮影用カセッテの角部が患者に直接当たることがなくなる。また、角部にかかる力を分散することができ、放射線撮影用カセッテの強度を増すことができる。
【００５２】
なお、フロント部材１２、バック部材１３及び保護部５５は、例えばクリア塗料等の塗料により塗装を施してもよい。耐摩耗性を向上させるためである。
【００５３】
図１０は、放射線撮影用カセッテ１における保持部材５２の変形例を示す。尚、上述した放射線撮影用カセッテ１と共通する要素には、同一符号を付することによって、説明を省略ないし簡略する。
図１０に示す例においては、フロント部材１２における側壁部１１に、その内面から外面に達する少なくとも一つの貫通孔５６が設けられており、保護部５５は、貫通孔５６の各々を通して、側壁部１１の内面に係合している。かかる構成により、強い衝撃やねじれに対しても保護部５５及びこれと一体の保持部材５２がフロント部材１２より剥がれ落ちることが防止される。
【００５４】
また、図１１は、放射線撮影用カセッテ１の、フロント部材１２における側壁部１１の内面及び外面の少なくとも一方に切り欠きを有する態様を示す図である。尚、上述した放射線撮影用カセッテ１と共通する要素には、同一符号を付することによって、説明を省略ないし簡略する。
【００５５】
図１１に示す例においては、フロント部材１２における側壁部１１の内面及び外面の少なくとも一方に切り欠き５７を設け、保護部５５をフロント部材１２に係合させている。切り欠き５７は、側壁部１１の内面及び外面の少なくとも一方の全周にわたって設けてもよく、一部に設けてもよい。かかる構成により、強い衝撃やねじれに対しても保護部５５及びこれと一体の保持部材５２がフロント部材１２より剥がれ落ちることが防止される。
【００５６】
また、放射線撮影用カセッテ１の他の態様として、保持部材５２は、フロント部材１２における側壁部１１の内面及び外面の少なくとも一方側に接する面に爪を有していても良い。該爪及び前記切り欠き５７により、フロント部材１２と保持部材５２とを係合させてもよい。
【００５７】
以上の説明においては、Ｘ線画像記録媒体としてＦＰＤを用いた場合について説明したが、Ｘ線画像記録媒体としては、Ｘ線に露光されることにより蛍光を発する増感紙とこの蛍光に感光するフイルムとを組み合わせたものや、Ｘ線に露光されることによってＸ線の強度分布を潜像として蓄積し、後にレーザー光等の励起光を照射されることによって潜像に応じた蛍光を発する輝尽性蛍光体（蓄積性蛍光体）パネルであってもよい。
【００５８】
また、放射線として一般的なＸ線を用いる場合について説明したが、本発明はＸ線に限られるものではなく、α線、γ線等のＸ線以外の放射線を用いることも可能である。
【００５９】
以上、説明したように、本明細書には、下記〔１〕から〔１１〕の放射線撮影用カセッテが開示されている。
〔１〕
放射線画像記録媒体と、
放射線画像記録媒体を支持する基台と、
前記放射線画像記録媒体及び前記基台を収納する筐体と、
を備え、
前記筐体は、放射線が入射する天板部及び該天板部の縁部にその全周に亘って立設された側壁部を有し、これらの天板部及び側壁部が同一の材料によって一体に形成されたフロント部材と、前記フロント部材の底部開口に蓋をするバック部材と、を含み、
前記基台は、前記フロント部材に固定されている放射線撮影用カセッテ。
〔２〕
〔１〕に記載の放射線撮影用カセッテであって、
前記基台は、前記天板部に固定されている放射線撮影用カセッテ。
〔３〕
〔２〕に記載の放射線撮影用カセッテであって、
前記天板部及び前記基台は、略矩形状に形成されており、
前記基台は、少なくとも四隅の角部において前記天板部に固定されている放射線撮影用カセッテ。
〔４〕
〔１〕から〔３〕のいずれか一項に記載の放射線撮影用カセッテであって、
前記基台は、前記天板部に比べて剛性が高い放射線撮影用カセッテ。
〔５〕
〔１〕から〔４〕のいずれか一項に記載の放射線撮影用カセッテであって、
前記バック部材は、前記天板部に固定されている放射線撮影用カセッテ。
〔６〕
〔１〕から〔５〕のいずれか一項に記載の放射線撮影用カセッテであって、
前記フロント部材と前記基台との固定箇所の各々は、一対の締結部材によって締結されており、
前記一対の締結部材の一方は、前記フロント部材にインサート成形された樹脂材料からなる保持部材によって保持されている放射線撮影用カセッテ。
〔７〕
〔６〕に記載の放射線撮影用カセッテであって、
前記保持部材は、前記側壁部の全周に亘ってその縁部及び外面を覆う保護部を有している放射線撮影用カセッテ。
〔８〕
〔７〕に記載の放射線撮影用カセッテであって、
前記側壁部には、その内面から外面に達する少なくとも一つの貫通孔が設けられており、
前記保護部は、前記貫通孔の各々を通して、前記側壁部の内面に係合している放射線撮影用カセッテ。
〔９〕
〔１〕から〔８〕のいずれか一項に記載の放射線撮影用カセッテであって、
前記バック部材は、前記フロント部材の底部開口に没入している放射線撮影用カセッテ。
〔１０〕
〔１〕から〔９〕のいずれか一項に記載の放射線撮影用カセッテであって、
前記フロント部材は、炭素繊維を含有する樹脂によって形成された放射線撮影用カセッテ。
〔１１〕
〔１〕から〔１０〕のいずれか一項に記載の放射線撮影用カセッテであって、
前記基台は、炭素繊維を含有する樹脂によって形成された放射線撮影用カセッテ。
【符号の説明】
【００６０】
１  放射線撮影用カセッテ１
２  ＦＰＤ
３  基台
４  筐体
５、６  台座
１０  天板部
１１  側壁部
１２  フロント部材
１３  バック部材
２０  画素
２１  受像部
２２  走査回路
２３  信号処理回路
２４  データ送信回路
２５  走査線
２６  信号線
３０  基材
３１  Ｘ線遮蔽材
３２  緩衝材
３３  切り欠き部
５１  ネジ
５２、６２  保持部材
５３、６３  ナット
５５  保護部
５６  貫通孔
５７  切り欠き
【図１】
0005450551.tif 000002
【図２】
0005450551.tif 000003
【図３】
0005450551.tif 000004
【図４】
0005450551.tif 000005
【図５】
0005450551.tif 000006
【図６】
0005450551.tif 000007
【図７】
0005450551.tif 000008
【図８】
0005450551.tif 000009
【図９】
0005450551.tif 000010
【図１０】
0005450551.tif 000011
【図１１】
0005450551.tif 000012